(57)【要約】【課題】より簡単で安全な法面排水の施工方法、及びこの施工方法に用いる法面排水構造体、ならびに法面排水構造体の製造方法を提供する。【解決手段】法面排水構造体１０は、帯状の金属シート１１と、この金属シート１１に設けられた略同一形状の複数の開口部１２とを有している。開口部１２は、金属シート１１に形成した切り込みを、各切り込みに沿って同一方向側の金属シート１１を押すことにより形成されたものである。開口部１２の形状は、切り込みの両端部を結ぶ基準線１３の一端部から他端部に向かい、開口面内において上下方向にそれぞれ拡大したのち縮小しており、基準線１３の中心よりも一端部側に最下部１２Ａが位置し、他端部側に最上部１２Ｂが位置している。開口部１２は略千鳥状に配列されている。【選択図】図１
2011080290.tif 000002
【特許請求の範囲】
【請求項１】
帯状の金属シートと、この金属シートに設けられた略同一形状の複数の開口部とを有し、
前記開口部は、前記金属シートに形成した切り込みを、各切り込みに沿って同一方向側の前記金属シートを押すことにより形成され、
前記開口部の形状は、切り込みの両端部を結ぶ基準線の一端部から他端部に向かい、開口面内において上下方向にそれぞれ拡大したのち縮小しており、基準線の中心よりも一端部側に最下部があり、他端部側に最上部がある
ことを特徴とする法面排水構造体。
【請求項２】
前記開口部は、略千鳥状に配列されたことを特徴とする請求項１記載の法面排水構造体。
【請求項３】
金属シートに切り込みを形成しつつ、この切り込みに沿って一方側を、前記金属シートの厚み方向に押し込むことにより複数の開口部を形成し、
その押し込み量は、切り込みの中心よりも一端部側に最下部が形成されるようにする
ことを特徴とする法面排水構造体の製造方法。
【請求項４】
前記開口部は、前記金属シートに切り込みを千鳥状に入れることにより形成することを特徴とする請求項３記載の法面排水構造体の製造方法。
【請求項５】
請求項１または請求項２に記載の法面排水構造体を法面排水溝に隣接して法面を覆うように敷設することを特徴とする法面排水施工方法。
【請求項６】
前記法面排水構造体と法面との間に、植生マットまたは防草シートを敷設することを特徴とする請求項５記載の法面排水施工方法。
【請求項７】
請求項１または請求項２に記載の法面排水構造体を法面排水溝の上に配設することを特徴とする法面排水施工方法。
【発明の詳細な説明】
【技術分野】
【０００１】
本発明は、法面排水の施工に関する。
【背景技術】
【０００２】
一般に、造成地または道路等における切土部または盛土部に布設する法面排水溝の両サイドは埋め戻し土であるため、雨水により浸食されやすい。そこで、従来は、例えば、図１１に示すように、法面１３１に雨水を排水するための法面排水溝１３２を配設し、かつ、法面排水溝１３２に隣接してシールコンクリート１３６を施工して、雨水による浸食の防止を行っていた（例えば、特許文献１参照）。また、植生マットを敷設して浸食を防止していた（例えば、特許文献２参照）。
【先行技術文献】
【特許文献】
【０００３】
【特許文献１】特開２００４−３５３４０６号公報
【特許文献２】特開２００８−４３３５０号公報
【発明の概要】
【発明が解決しようとする課題】
【０００４】
しかしながら、斜面での作業は大変であり、また、危険性を伴う。よって、より簡単で安全な法面排水の施工方法の開発が望まれていた。
【０００５】
本発明は、このような問題に基づきなされたものであり、より簡単で安全な法面排水の施工方法、及びこの施工方法に用いる法面排水構造体、ならびに法面排水構造体の製造方法を提供することにある。
【課題を解決するための手段】
【０００６】
本発明に係る法面排水構造体は、帯状の金属シートと、この金属シートに設けられた略同一形状の複数の開口部とを有し、開口部は、金属シートに形成した切り込みを、各切り込みに沿って同一方向側の金属シートを押すことにより形成され、開口部の形状は、切り込みの両端部を結ぶ基準線の一端部から他端部に向かい、開口面内において上下方向にそれぞれ拡大したのち縮小しており、基準線の中心よりも一端部側に最下部があり、他端部側に最上部があるものである。
【０００７】
本発明に係る法面排水構造体の製造方法は、金属シートに切り込みを形成しつつ、この切り込みに沿って一方側を、金属シートの厚み方向に押し込むことにより複数の開口部を形成し、その押し込み量は、切り込みの中心よりも一端部側に最下部が形成されるようにするものである。
【０００８】
本発明に係る法面排水の施工方法は、本発明の法面排水構造体を法面排水溝に隣接して法面を覆うように敷設するものである。
【０００９】
本発明に係る他の法面排水の施工方法は、本発明の法面排水構造体を法面排水溝の上に配設するものである。
【発明の効果】
【００１０】
本発明の法面排水構造体によれば、金属シートに形成した切り込みを、切り込みに沿って同一方向側の金属シートを押すことにより開口部を形成し、開口部の形状は、切り込みの両端部を結ぶ基準線の中心よりも一端部側に最下部があり、他端部側に最上部があるようにしたので、切り込みに沿って傾斜面を連続的に形成することができ、雨水を傾斜面に沿って斜め下方に誘導することができる。よって、雨水を排水溝に効果的に排水することができ、浸食を防止することができる。また、法面排水構造体の下に植生マットを敷設することにより、開口部から植物を成長させることができるので、植生により浸食をより効果的に防止することができる。更に、植物の成長が開口部により制限されるので、植物の成長を抑制することができ、草刈り作業を削減することができる。
【００１１】
本発明の法面排水構造体の製造方法によれば、金属シートに切り込みを形成しつつ、この切り込みに沿って一方側を、金属シートの厚み方向に押し込むことにより複数の開口部を形成し、その押し込み量は、切り込みの中心よりも一端部側に最下部が形成されるようにしたので、本発明の法面排水構造体を容易に製造することができる。
【００１２】
本発明の一つの法面排水施工方法によれば、本発明の法面排水構造体を法面排水溝に隣接して敷設するようにしたので、簡単な構造で効果的に雨水による浸食を防止することができる。また、軽量でかつ持運びも容易で、更に、アンカー等で簡単に固定することができるので、施工を容易とすることができ、作業効率及び安全性を向上させることができる。
【００１３】
特に、法面排水構造体と法面との間に植生マットを敷設するようにすれば、植物により浸食をより効果的に防止することができる。また、植物の成長を望まない場合は、法面排水構造体と法面との間に防草シートを敷設するようにすれば、防草することができる。
【００１４】
更に、本発明の他の一つの法面排水施工方法によれば、本発明の法面排水構造体を法面排水溝の上に配設するようにしたので、簡単な構造で法面排水溝又は集水枡からの水はねを効果的に防止することができる。また、軽量でかつ持運びも容易で、更に、ボルト等で簡単に固定することができるので、施工を容易とすることができる。
【図面の簡単な説明】
【００１５】
【図１】本発明の一実施の形態に係る法面排水構造体の構成を表わす図である。
【図２】図１に示したＡ−Ａ線及びＢ−Ｂ線に沿った端面構造を重ねて表わす図である。
【図３】図２に示したＤ−Ｄ線に沿った断面構造を表わす図である。
【図４】図１に示した法面排水構造体を法面に配置した状態を説明するためのＡ−Ａ線及びＢ−Ｂ線に沿った端面図である。
【図５】図１に示した法面排水構造体の製造方法を説明するための図である。
【図６】図５に示したＥ−Ｅ線に沿った断面構造を表す図である。
【図７】図１に示した法面排水構造体を法面に配置した状態を表す図である。
【図８】図７の一部を拡大して表す断面図である。
【図９】図１に示した法面排水構造体を法面に配置した他の状態を表す断面図である。
【図１０】図１に示した法面排水構造体を法面に配置した他の状態を表す全体図である。
【図１１】従来の法面排水構造を説明するための断面図である。
【発明を実施するための形態】
【００１６】
以下、本発明の実施の形態について、図面を参照して詳細に説明する。
【００１７】
図１は、本発明の一実施の形態に係る法面排水構造体１０の構成を表すものであり、法面排水構造体１０を水平面上に配置し、上方から見た構成を表わしている。図２は、図１に示したＡ−Ａ線及びＢ−Ｂ線に沿った端面構造を拡大し重ねて表わすものである。図２において、Ａ−Ａ線の端面構造は実線及び左下斜線のハッチングで表し、Ｂ−Ｂ線の端面構造は破線及び右下斜線のハッチングで表している。図３は、図２に示したＤ−Ｄ線に沿った断面構造を表わすものである。
【００１８】
この法面排水構造体１０は、例えば、法面に用いるものであり、帯状の金属シート１１と、この金属シート１１に設けられた略同一形状の複数の開口部１２とを有している。金属シート１１は、例えば、亜鉛メッキ圧延鋼板（ステンレス鋼板、アルミ合金）等により構成されている。大きさは、例えば、幅が４００ｍｍ〜９００ｍｍ程度、長さが９００ｍｍ〜２０００ｍｍ程度、厚みが０．５ｍｍ〜１．２ｍｍ程度である。
【００１９】
開口部１２は、金属シート１１に形成した切り込みを、各切り込みに沿って同一方向側の金属シート１１を押すことにより形成されたものである。開口部１２の形状は、切り込みの両端部を結ぶ基準線１３の一端部から他端部に向かい、開口面１４の面内において上下方向にそれぞれ拡大したのち縮小しており、基準線１３の中心よりも一端部側に最下部１２Ａが位置し、他端部側に最上部１２Ｂが位置している。
【００２０】
また、開口部１２は、例えば、切り込み方向を互いに平行にして、略千鳥状に配列されている。千鳥状というのは、例えば、開口部１２が行列方向にそれぞれ所定の間隔を開けて配置され、行方向の開口部１２の位置が、隣接する行において、同一行における開口部１２の間隔の１／２ずつずれている状態、または、列方向の開口部１２の位置が、隣接する列において、同一列における開口部１２の間隔の１／２ずつずれている状態である。なお、この法面排水構造体１０は、平面状の金属シート１１に切り込みを千鳥状に形成して立体的に加工したものであるので、開口部１２の列方向（略Ｙ方向）形状は加工時におけるシート送り長及び切断深さにより変化し、図１の平面にある角度をもって形成される。具体的には、例えば、切り込み方向を行方向（略Ｘ方向）、シート送り方向と切断深さ方向とを合わせた方向を列方向（略Ｙ方向）とし、開口面１４を図１の平面に対して斜めにして、開口部１２を略千鳥状に配列している。
【００２１】
これにより、この法面排水構造体１０は、切り込みに沿って切り込み方向に対して斜めに傾斜面１５が連続的に形成され、雨水を傾斜面１５に沿って斜め下方に誘導することができるようになっている。また、金属シート１１の表面と裏面とを使い分けることにより、雨水の誘導方向を変えることも可能である。
【００２２】
開口部１２の開口幅Ｌ１、例えば切り込みの両端部を結ぶ基準線１３の長さは、開口部１２の同一行における行方向間隔Ｌ２の１／２よりも長いことが好ましく、隣接する列の開口部１２は、列方向において切り込みの両端部の位置が重なることが好ましい。例えば、開口幅Ｌ１は２０ｍｍ〜４０ｍｍ程度が好ましく、行方向間隔Ｌ２は３０ｍｍ〜６０ｍｍ程度が好ましい。
【００２３】
また、同一列の隣接する開口部１２の基準線１３を含む平面に対して基準線１３の中心位置で直交する面内における金属シート１１に沿った開口部１２の間隔Ｌ３は、例えば、６ｍｍ〜１０ｍｍ程度が好ましい。隣接する行の金属シート１１に沿った間隔Ｌ４は、例えば、３ｍｍ〜５ｍｍ程度が好ましい。間隔Ｌ４は、加工時におけるシート送り長であり、間隔Ｌ３は、間隔Ｌ４の２倍の長さである。更に、同一列の隣接する開口部１２の基準線１３を含む平面に対して基準線１３の中心位置で直交する面内における開口面１４に沿った金属シート１１の間隔Ｌ５は、例えば、２ｍｍ〜８ｍｍ程度が好ましく、隣接する列において、それぞれ同一列の隣接する開口部１２の基準線１３を含む平面に対して基準線１３の中心位置で直交する面を重ねた時に、連続する傾斜面１５の間隔Ｌ６は、１ｍｍ〜４ｍｍ程度が好ましい。間隔Ｌ６は、加工時における切断深さであり、間隔Ｌ５は、間隔Ｌ６の２倍の長さである。なお、図１に示したＡ−Ａ線及びＢ−Ｂ線は、隣接する列の開口部１２において、それぞれ基準線１３の中心を通る列方向に伸長された線であり、図２は、Ａ−Ａ線において隣接する開口部１２の基準線１３を含む平面に対してＡ−Ａ線で直交する面の端面構造と、Ｂ−Ｂ線において隣接する開口部１２の基準線１３を含む平面に対してＢ−Ｂ線で直交する面の端面構造とを重ねあわせたものである。また、図２に示したＤ−Ｄ線は、開口面１４と平行な方向（Ｃ方向）に伸長した線である。
【００２４】
これら開口部１２の大きさや間隔は、植生をするのか防草をするのかなどの目的や用途によって適宜決定される。また、開口部１２の間隔Ｌ４（シート送り長）と間隔Ｌ６（切断深さ）との比率は、法面排水構造体１０を用いる法面の法勾配に合わせて決定される。例えば、法勾配が１：２．０の場合には、間隔Ｌ６（切断深さ）：間隔Ｌ４（シート送り長）を１：２．０の比率とすることが好ましい。例えば図４に示したように、法面に配置した時に、金属シートの長さ方向（Ｙ方向）の傾きを水平とすることができるからである。なお、図４は、法面排水構造体１０を法勾配が１：２．０の法面に配置した状態を表すものであり、図１に示したＡ−Ａ線及びＢ−Ｂ線に沿った端面構造を重ねて表わしている。図４において、Ａ−Ａ線の端面構造は実線及び左下斜線のハッチングで表し、Ｂ−Ｂ線の端面構造は破線及び右下斜線のハッチングで表している。
【００２５】
図５は、法面排水構造体１０の製造方法を説明するためのものであり、図６は、図５に示したＥ−Ｅ線に沿った断面構造を表すものである。この法面排水構造体１０は、例えば、上刃２１及び下刃２２を用いて、金属シート１１に切り込み１６を入れつつ、この切り込み１６に沿って金属シート１１を上刃２１により厚み方向（Ｆ方向）に押し込むことにより、複数の開口部１２が形成される。上刃２１は、下方に向かって突出された突出部２１Ａが長さ方向（Ｇ方向）において間隔を開けて形成されており、下刃２２は、長さ方向（Ｇ方向）に伸長された直方体状とされている。
【００２６】
突出部２１Ａは、例えば、長さ方向（Ｇ方向）における中心よりも一方側に最も突出した部分が形成されており、この最も突出された部分に向かって他方側及び一方側の端部からそれぞれ傾斜面が形成されている。これにより、金属シート１１の押し込み量を、切り込み１６の中心よりも一端部側に最も多く押し込まれる最下部１２Ａが形成されるようにする。突出部２１Ａの長さ方向（Ｇ方向）における長さ及び突出部２１Ａの長さ方向における間隔は、形成する開口部１２の基準線１３の長さ、及び開口部１２の行方向間隔Ｌ２等に応じて設計される。金属シート１１の押し込み量は、開口部１２の形状及び間隔Ｌ５，Ｌ６等に応じて設計され、切断深さもそれにより設計される。切断深さは、切り込み１６の中心位置における金属シート１１の押し込み量である。
【００２７】
また、図５及び図６に示したように、１行目の開口部１２を形成したのち、金属シート１１をＨ方向に間隔Ｌ４（シート送り長）だけ移動させると共に、上刃２１をＧ方向に行方向間隔Ｌ２の１／２だけ横移動させて、２行目の開口部１２を同様にして形成する。以下、金属シート１１をＨ方向に移動させると共に、上刃２１をＧ方向に往復移動させ、上刃２１を厚み方向（Ｆ方向）に押し込むことにより、金属シート１１に切り込み１６を千鳥状に入れつつ、開口部１２を略千鳥状に形成する。
【００２８】
図７は、法面排水構造体１０を法面に配置した状態を表すものであり、図８は、図７の一部を拡大して表す断面図である。図７及び図８に示したように、この法面排水構造体１０は、例えば、法面３１に配設された法面排水溝３２に隣接して法面３１を覆うように敷設して用いられる。法面排水構造体１０は、例えば、一方の側片側が法面排水溝３２の天端３２Ａに対してボルト３３などにより固定され、他方の側片側はアンカー３４などにより法面に対して固定される。法面排水構造体１０には、傾斜面１５が連続的に形成されているので、雨水は法面排水構造体１０により法面排水溝３２に誘導され、雨水による浸食が防止される。
【００２９】
法面排水構造体１０は法面３１の上に直接敷設するようにしてもよいが、法面排水構造体１０と法面３１との間に、例えば、植生マット３５を敷設するようにしてもよい。法面排水構造体１０には、複数の開口部１２が設けられているので、開口部１２から植物を成長させることができ、植生マット３５を敷設すれば、植生により浸食をより効果的に防止することができるからである。また、法面排水構造体１０と法面３１との間には、例えば、防草シートを敷設するようにしてもよい。防草することができるからである。なお、この法面排水構造体１０は、開口部１２により植物の成長を制限し、高草化を抑制することもできるようになっている。
【００３０】
図９及び図１０は、法面排水構造体１０を法面に配置した他の状態を表すものである。図９に示したように、この法面排水構造体１０は、例えば、法面３１に配設された法面排水溝３２の上に配設して用いてもよい。この法面排水構造体１０は、開口部１２が大きくないので、法面排水溝３２の水はねを十分に防止することができ、また、軽量でかつ持運びも容易で、更にアンカー３４等で簡単に固定することができるので、容易に施工することができるからである。この場合、法面排水構造体１０は、例えば、法面排水溝３２の上を覆い、両側を法面排水溝３２の天端３２Ａに対してボルト３３等により固定するようにしてもよい。
【００３１】
法面排水構造体１０は、法面排水溝３２の全面に配設するようにしてもよいが、例えば図１０に示したように、法面排水溝３２の傾斜角度が変化する箇所及びその近傍に配設することが好ましい。なお、図１１において、法面排水溝３２の上に配設した法面排水構造体１０は、網掛けのハッチングを付して示している。傾斜角度が変化する箇所において水はねが起こりやすいからである。
【００３２】
このように、本実施の形態に係る法面排水構造体によれば、金属シート１１に形成した切り込みを、切り込みに沿って同一方向側の金属シート１１を押すことにより開口部１２を形成し、開口部１２の形状は、切り込みの両端部を結ぶ基準線１３の中心よりも一端部側に最下部があり、他端部側に最上部があるようにしたので、切り込みに沿って傾斜面１５を連続的に形成することができ、雨水を傾斜面１５に沿って斜め下方に誘導することができる。よって、雨水を効果的に排水することができ、浸食を防止することができる。また、開口部１２から植物を成長させることができるので、植生により浸食をより効果的に防止することができる。更に、植物の成長が開口部により制限されるので、植物の成長を抑制することができ、草刈り作業を削減することができる。
【００３３】
本実施の形態に係る法面排水構造体の製造方法によれば、金属シート１１に切り込み１６を形成しつつ、この切り込み１６に沿って一方側を、金属シート１１の厚み方向に押し込むことにより複数の開口部１２を形成し、その押し込み量は、切り込みの中心よりも一端部側に最下部が形成されるようにしたので、本実施の形態に係る法面排水構造体１０を容易に製造することができる。
【００３４】
本実施の形態に係る一つの法面排水施工方法によれば、本実施の形態に係る法面排水構造体１０を法面排水溝３２に隣接して敷設するようにしたので、簡単な構造で効果的に雨水による浸食を防止することができる。また、軽量でかつ持運びも容易で、更に、アンカー３４等で簡単に固定することができるので、施工を容易とすることができ、作業効率及び安全性を向上させることができる。
【００３５】
特に、法面排水構造体１０と法面３１との間に植生マット３５を敷設するようにすれば、植物により浸食をより効果的に防止することができる。また、植物の成長を望まない場合は、法面排水構造体１０と法面３１との間に防草シートを敷設するようにすれば、防草することができる。
【００３６】
更に、本実施の形態に係る他の法面排水施工方法によれば、本実施の形態に係る法面排水構造体１０を法面排水溝３２の上に配設するようにしたので、簡単な構造で法面排水溝３２からの水はねを効果的に防止することができる。また、軽量でかつ持運びも容易で、更に、ボルト３３で簡単に固定することができるので、施工を容易とすることができる。
【００３７】
以上、実施の形態及び実施例を挙げて本発明を説明したが、本発明は上記実施の形態及び実施例に限定されるものではなく、種々変形可能である。
【産業上の利用可能性】
【００３８】
法面排水の施工に用いることができる。
【符号の説明】
【００３９】
１０…法面排水構造体、１１…金属シート、１２…開口部、１２Ａ…最下部、１２Ｂ…最上部、１３…基準線、１４…開口面、１５…傾斜面、１６…切り込み、２１…上刃、２１Ａ…突出部、２２…下刃、３１…法面、３２…法面排水溝、３２Ａ…天端、３３…ボルト、３４…アンカー、３５…植生マット
【図１】
2011080290.tif 000003
【図２】
2011080290.tif 000004
【図３】
2011080290.tif 000005
【図４】
2011080290.tif 000006
【図５】
2011080290.tif 000007
【図６】
2011080290.tif 000008
【図７】
2011080290.tif 000009
【図８】
2011080290.tif 000010
【図９】
2011080290.tif 000011
【図１０】
2011080290.tif 000012
【図１１】
2011080290.tif 000013